(57)【要約】【課題】  薄型と小型化を実現しやすく、組立作業も容易な構造の「複合スピーカ」を提供する。【解決手段】  磁界発生部１０を構成する主ヨーク１１に後方に開口する第１の空間１２が形成され、内部に第１の磁気ギャップＧ１が形成されている。面積の大きい第１の振動体４１の内周端４１ａに連結された第１のボイスコイル３１がＹ１方向に向けて第１の磁気ギャップＧ１に挿入されている。主ヨーク１１には、前後に貫通する第２の空間１６が設けられ、その内部に第２の磁界発生部２０が装着され、その前方に面積の小さい第２の振動体４５が設けられている。第２の磁界発生部２０が、第１の磁界発生部の内側に収納されている構造であるため、前後の寸法を薄型化できる。【選択図】図１
2012124719.tif 000002
【特許請求の範囲】
【請求項１】
第１の振動体と、第１の振動体よりも面積が小さい第２の振動体と、第１の振動体を駆動する第１のボイスコイルおよび第２の振動体を駆動する第２のボイスコイルが搭載された複合スピーカにおいて、
磁性材料で形成された主ヨークに、少なくとも後方に向けて開口する第１の空間が形成され、第１の空間の内部にリング状の第１の磁石が固定されて、第１の磁石の内周面または外周面と主ヨークとの間に第１の磁気ギャップが形成されて、第１のボイスコイルが、第１の磁気ギャップの内部に位置しており、
前記主ヨークの第１の磁石に囲まれた領域内に、少なくとも前方に向けて開口する第２の空間が形成され、第２のボイスコイルと第２のボイスコイルを駆動する第２の磁界発生部が、第２の空間内に収納されていることを特徴とする複合スピーカ。
【請求項２】
第１の振動体は第１のボイスコイルよりも外側に位置し、第２の振動体は第２のボイスコイルよりも内側に位置している請求項１記載の複合スピーカ。
【請求項３】
第２の空間は、主ヨークを前後に貫通して形成されている請求項１または２記載の複合スピーカ。
【請求項４】
第２の磁界発生部が、リング状の第１の磁石で囲まれた領域内に位置している請求項３記載の複合スピーカ。
【請求項５】
第２の磁界発生部は、前方に開口する前方凹部を有する内側ヨークと、前方凹部の内底部に固定された第２の磁石および第２の磁石の前方に固定された対向ヨークとを有して、前方凹部の内周面と対向ヨークとの間に第２のボイスコイルが位置する第２の磁気ギャップが形成されており、前記内側ヨークが第２の空間内に前方から装着されている請求項１ないし４のいずれかに記載の複合スピーカ。
【請求項６】
前記主ヨークの少なくとも一部が、第１の振動体の外周端よりも後方で且つ内周端よりも前方に位置している請求項１ないし５のいずれかに記載の複合スピーカ。
【請求項７】
第１の振動体の内周端が、主ヨークの前端よりも後方に位置している請求項１ないし６のいずれかに記載の複合スピーカ。
【請求項８】
主ヨークには、第１の空間に連通して後方に開放された複数のスリットが設けられ、第１の振動体と第１のボイスコイルとを連結する連結部材が前記スリット内に位置している請求項１ないし７のいずれかに記載の複合スピーカ。
【請求項９】
第１のボイスコイルの前方に、第２の振動体の振動で発せられる音圧を前方に導くホーン部が設けられている請求項１ないし８のいずれかに記載の複合スピーカ。
【発明の詳細な説明】
【技術分野】
【０００１】
本発明は、面積が相違する２つの振動体が搭載されて広い周波数帯域で発音できる複合スピーカに係り、特に薄型化を実現しやすく且つ組立作業が容易になる構造の複合スピーカに関する。
【背景技術】
【０００２】
特許文献１に、２つの振動板を有する複合スピーカが開示されている。
この複合スピーカには、面積の大きい円錐状の第１の振動板と、面積の小さいドーム状の第２の振動板とが搭載されている。
【０００３】
磁界発生部を構成する第１のヨークは、前方に大きく開口する凹部を有しており、凹部の内部にリング状の第２のヨークが固定されている。第１のヨークの凹部の内周面にリング状の第１の磁石が固定されて、第１の磁石の内周面と第２のヨークの外周面との間に第１の磁気ギャップが形成されている。第１の振動板を駆動する第１のボイスコイルは、第１の磁気ギャップの内部に、前方から後方へ向けて挿入されている。
【０００４】
第２のヨークで囲まれた中心部に、第２の磁石とプレートとが、前方に向けて順に積層されて固定され、第２のヨークの内周面とプレートの外周面との間に第２の磁気ギャップが形成されている。第２の駆動板を駆動する第２のボイスコイルは、第２の磁気ギャップの内部に、前方から後方へ向けて挿入されている。
【０００５】
この複合スピーカは、円錐状の第１の振動板で比較的低い帯域の音圧を発生し、ドーム状の第２の振動板で比較的高い帯域の音圧を発生するものである。
【先行技術文献】
【特許文献】
【０００６】
【特許文献１】特開平６−１８９３９４号公報
【発明の概要】
【発明が解決しようとする課題】
【０００７】
特許文献１に記載の複合スピーカは以下に列記する課題を有している。
（１）第１の振動板を駆動する第１のボイスコイルと、第２の振動板を駆動する第２のボイスコイルが、第１のヨークの凹部内に形成された磁気ギャップ内へ、共に前方から後方へ向けて挿入され、第１のボイスコイルが巻かれたボビンと、第２のボイスコイルが巻かれたボビンが、第２のヨークから前方に延び出ている。そのため、第１の振動板と第２の振動板の双方が、第１のヨークの前方の領域に配置されることになり、複合スピーカの前後方向の厚さ寸法を小さくするのが困難になっている。
【０００８】
（２）第２の振動板を支持する支持部材やダンパー部材を、第１の振動板に取り付けられたボビンで囲まれた狭い空間内に組み付けることになるため、組立作業が煩雑である。
【０００９】
（３）ドーム状の第２の振動板の外周領域において、円錐状の第１の振動板に連結されたボビンが前方へ延び出ているため、第２の振動板の周囲の領域を有効に利用することができず、例えば高音域の音圧を前方に導くためのホーンを配置することが困難である。あるいは、ホーンを配置できたとしても、小さなものに限られ、音圧を前方へ伝搬する機能を十分に発揮させることが難しい。
【００１０】
本発明は上記従来の課題を解決するものであり、薄型で小型化が容易であり、且つ組立が容易な構造の複合スピーカを提供することを目的としている。
【課題を解決するための手段】
【００１１】
本発明は、第１の振動体と、第１の振動体よりも面積が小さい第２の振動体と、第１の振動体を駆動する第１のボイスコイルおよび第２の振動体を駆動する第２のボイスコイルが搭載された複合スピーカにおいて、
磁性材料で形成された主ヨークに、少なくとも後方に向けて開口する第１の空間が形成され、第１の空間の内部にリング状の第１の磁石が固定されて、第１の磁石の内周面または外周面と主ヨークとの間に第１の磁気ギャップが形成されて、第１のボイスコイルが、第１の磁気ギャップの内部に位置しており、
前記主ヨークの第１の磁石に囲まれた領域内に、少なくとも前方に向けて開口する第２の空間が形成され、第２のボイスコイルと第２のボイスコイルを駆動する第２の磁界発生部が、第２の空間内に収納されていることを特徴とするものである。
【００１２】
本発明は、第１の振動体が第１のボイスコイルよりも外側に位置し、第２の振動体が第２のボイスコイルよりも内側に位置しているものとして構成される。
【００１３】
本発明の複合スピーカは、面積の大きい第１の振動体を駆動するボイスコイルが、主ヨークの後方に開口する第１の空間内に位置している。したがって、円錐形状などの第１の振動体および第１の振動体に接続されたボビンが、第２の振動体よりも前方へ大きく突出することがなくなり、スピーカ全体の前後の寸法を小さく構成しやすい。第２の振動体の外側の領域に、第１の振動体の内周端やボビンなどが存在していないので、第２の振動体の周囲の領域を有効に利用でき、第２の振動体を支持する支持部材やダンパー部材などを配置しやすくなる。
【００１４】
本発明は、第２の空間は、主ヨークを前後に貫通して形成されていることが好ましい。この場合に、第２の磁界発生部が、リング状の第１の磁石で囲まれた領域内に位置しているものとなる。
【００１５】
主ヨークに前後に貫通する第２の空間を形成し、第２の空間内に第２のボイスコイルおよび第２の磁界発生部を設けることで、スピーカの前後の寸法をさらに薄くすることができる。
【００１６】
また、本発明は、第２の磁界発生部は、前方に開口する前方凹部を有する内側ヨークと、前方凹部の内底部に固定された第２の磁石および第２の磁石の前方に固定された対向ヨークとを有して、前方凹部の内周面と対向ヨークとの間に第２のボイスコイルが位置する第２の磁気ギャップが形成されており、前記内側ヨークが第２の空間内に前方から装着されているものとすることができる。
【００１７】
上記構成では、第２の磁界発生部を組み立てた後に、この第２の磁界発生部を主ヨークの第２の空間に組み込むことができるので、組立作業が容易になる。
【００１８】
本発明は、前記主ヨークの少なくとも一部が、第１の振動体の外周端よりも後方で且つ内周端よりも前方に位置しているものが好ましい。また、第１の振動体の内周端が、主ヨークの前端よりも後方に位置しているものが好ましい。
【００１９】
上記のように構成することで、主ヨークの少なくとも一部を、円錐形状の第１の振動体で囲まれた空間内に配置でき、前後の寸法を小さくしやすくなる。
【００２０】
本発明は、主ヨークには、第１の空間に連通して後方に開放された複数のスリットが設けられ、第１の振動体と第１のボイスコイルとを連結する連結部材が前記スリット内に位置している構造とすることが可能である。
【００２１】
また、本発明は、第１のボイスコイルの前方に、第２の振動体の振動で発せられる音圧を前方に導くホーン部が設けられているものとすることもできる。
【発明の効果】
【００２２】
本発明の複合スピーカは、第１の振動体と第２の振動体を備えている構造であるが、前後の寸法を小さくでき、組立作業を容易にすることが可能である。
【図面の簡単な説明】
【００２３】
【図１】本発明の第１の実施の形態の複合スピーカを示す縦断面図、
【図２】図１に示す複合スピーカの磁界発生部を拡大して示す半断面図、
【図３】複合スピーカの中心部の構造を示す分解斜視図、
【図４】本発明の第２の実施の形態の複合スピーカを示す縦断面図、
【発明を実施するための形態】
【００２４】
図１に示す第１の実施の形態の複合スピーカ１は、Ｙ１方向が発音方向である前方で、Ｙ２方向が後方である。図１には、複合スピーカ１の前後方向に延びる中心線Ｏが示されている。
【００２５】
複合スピーカ１は、内側フレーム２と、内側フレーム２の外周側に固定された外側フレーム３を有している。内側フレーム２と外側フレーム３は、合成樹脂材料または非磁性金属材料などの非磁性材料で形成されている。
【００２６】
内側フレーム２の中心部に、前後に開口する開口部２ａが形成されており、この開口部２ａの前端に第１の磁界発生部１０が固定されている。また、第１の磁界発生部１０の中心部に第２の磁界発生部２０が保持されている。
【００２７】
図１と図２に示すように、磁界発生部１０は主ヨーク１１を有している。主ヨーク１１は、外周ヨーク１１ａと内周ヨーク１１ｂとから構成されている。外周ヨーク１１ａと内周ヨーク１１ｂは、中心線Ｏに中心を有するリング形状であり、磁性金属材料で形成されて互いに接着されて固定されている。図１に示すように、外周ヨーク１１ａが、前記外側フレーム３の開口部２ａの前端に固定されて、第１の磁界発生部１０が内側フレーム２に固定されている。
【００２８】
主ヨーク１１の接合部では、外周ヨーク１１ａの内周面と内周ヨーク１１ｂの外周面との間に第１の空間１２が形成されている。外周ヨーク１１ａの内周面と内周ヨーク１１ｂの外周面は、中心線Ｏを中心とする円筒面であり、第１の空間１２は、中心線Ｏを中心とするリング状の空間である。第１の空間１２は前方（Ｙ１側）が塞がれており、後方（Ｙ２側）に開口している。
【００２９】
第１の空間１２内に第１の磁石１３が固定されている。第１の磁石１３は、中心線Ｏを中心とするリング形状である。第１の磁石１３は、内周面１３ａと外周面１３ｂが互いに逆の磁極となるように半径方向に向けて着磁されている。
【００３０】
第１の磁石１３は、外周面１３ｂが外周ヨーク１１ａの内周面に固定されており、第１の磁石１３の内周面１３ａと内周ヨーク１１ｂの外周面との間に第１の磁気ギャップＧ１が形成されている。第１の磁石１３から発生した磁束が磁気ギャップＧ１を横断している。なお、第１の磁石１３の内周面１３ａが内周ヨーク１１ｂの外周面に固定されて、第１の磁石１３の外周面１３ｂと外周ヨーク１１ａの内周面との間に第１の磁気ギャップＧ１が形成されてもよい。
【００３１】
図１と図３に示すように、主ヨーク１１の外周ヨーク１１ａには、その外周面と内周面とを貫通して、後方（Ｙ２方向）に開口する複数のスリット１５が形成されている。このスリット１５により、第１の空間１２と主ヨーク１１の外周の空間とが連通している。図３に示すように、スリット１５は、１２０度の角度配置で３箇所に形成されている。
【００３２】
図１と図２に示す第１の磁界発生部１０では、第１の磁石１３が外周ヨーク１１ａの内周面に固定されている。そのため、第１の磁石１３にも、スリット１３ｃが設けられている。すなわち、第１の磁石１３は３分割されており、主ヨーク１１に形成されたスリット１５の内側において、分割された第１の磁石１３の端面間に、スリット１３ｃが形成されている。
【００３３】
図１と図２に示すように、第１の磁気ギャップＧ１内に第１のボイスコイル３１が位置している。図３に示すように、第１のボイスコイル３１は、導線が円筒形状に巻かれて構成されている。第１のボイスコイル３１には、３箇所から外周方向へ放射状に延びる放射連結部材３２が連結されており、それぞれの放射連結部材３２の外端部に円筒連結部材３３が連結されている。放射連結部材３２と円筒連結部材３３は、合成樹脂シートや紙シートや布シートまたはこれらの複合シートなどで形成されている。
【００３４】
第１のボイスコイル３１が第１の磁気ギャップＧ１内に位置し、放射連結部材３２が、主ヨーク１１に形成されたスリット１５内および第１の磁石１３のスリット１３ｃ内に位置し、円筒連結部材３３が外周ヨーク１１ａの外周部に位置している。
【００３５】
図１に示すように、円筒連結部材３３と内側フレーム２との間にダンパー部材３４が渡されている。ダンパー部材３４は合成樹脂シートや布シートや紙シートまたはこれらの複合材料で形成されており、凹凸部が中心線Ｏを中心として同心円状に形成されている。円筒連結部材３３とこれに支持された第１のボイスコイル３１は、ダンパー部材３４に支持されて前後方向へ振動可能である。
【００３６】
図１に示すように、主ヨーク１１の外周部に、中音域や低音域の音圧を発生する第１の振動体４１が設けられている。第１の振動体４１は、合成樹脂シートや布シートや紙シートまたはこれらの複合材料で円錐形状に形成されている。第１の振動体４１の中心部に円形穴が形成され、この円形穴の縁部が内周端４１ａとなっている。内周端４１ａは、主ヨーク１１の外周を囲むように位置している。第１の振動体４１の内周端４１ａは、円筒連結部材３３の外側に接合されている。第１の振動体４１の内周端４１ａよりもやや外側部分と、主ヨーク１１との間に内側ダンパー部材４２が設けられている。内側ダンパー部材４２は、合成樹脂シートや布シートや紙シートまたはこれらの複合材料で形成されており、中心線Ｏを中心とする円形の凹凸部が形成されている。
【００３７】
第１の振動体４１の外周端４１ｂは、内周端４１ａよりも前方に位置し、第１の振動体４１が円錐形状となっている。この外周端４１ｂと、外側フレーム３の外周縁３ａとの間に外側ダンパー部材４３が取り付けられている。外側ダンパー部材４３は、合成樹脂シートや布シートや紙シートまたはこれらの複合材料で形成されており、中心線Ｏを中心とする円形の凹凸部が形成されている。
【００３８】
図１と図２に示すように、主ヨーク１１を構成する内周ヨーク１１ｂの中心部に、前後に貫通する第２の空間１６が形成されている。第２の空間１６には、後方（Ｙ２方向）に開口する後部穴部１６ａと、前方（Ｙ１方向）に開口する前方穴部１６ｂとが互いに連通して形成されている。前方穴部１６ｂは、後方穴部１６ａよりも開口寸法がやや広く形成されている。
【００３９】
第２の空間１６の後方穴部１６ａの内部に、第２の磁界発生部２０が保持されている。
第２の磁界発生部２０は、内側ヨーク２１を有している。内側ヨーク２１は、主ヨーク１１と同じ磁性金属材料で形成されている。内側ヨーク２１は、その外周面２１ａが、第２の空間の後方穴部１６ａの内部にほとんど隙間を有することなく嵌着され、接着剤などで固定されている。
【００４０】
内側ヨーク２１には、前方（Ｙ１方向）に向けて開放された前方凹部２２が形成されている。前方凹部２２は、中心線Ｏを中心とする円筒面である内周面２２ａと、中心線Ｏと直交する平面である内底面２２ｂを有している。
【００４１】
前方凹部２２の内部には、内底面２２ｂに固定された第２の磁石２３と、第２の磁石２３の前方に固定された対向ヨーク２４とが設けられている。第２の磁石２３は、対向ヨーク２４が固定される前面２３ａと、内底部２２ｂに固定される後面２３ｂとを有しており、前面２３ａと後面２３ｂとが異なる磁極となるように、前後方向に向けて着磁されている。
【００４２】
対向ヨーク２４の外周面と、前方凹部２２の内周面２２ａとの間に、第２の磁気ギャップＧ２が形成されている。第２の磁気ギャップＧ２はリング状である。第２の磁石２３から発せられた磁束が第２の磁気ギャップＧ２を横断している。第２の磁気ギャップＧ２は第１の磁気ギャップＧ１よりも、中心線Ｏに対する半径が小さく、第２の磁気ギャップＧ２は、第１の磁気ギャップＧ１で囲まれた空間内に位置している。
【００４３】
第２の磁界発生部２０の前方に、高音域の音圧を発生するための第２の振動体４５が設けられている。第２の振動体４５は、合成樹脂シートや布シートや紙シートまたはこれらの複合材料でドーム状に形成されている。図１と図２に示すように、第２の振動体４５の裾部には、後方に延びる小径のボビン４６が設けられ、このボビン４６に巻かれた第２のボイスコイル４７が、第２の磁気ギャップＧ２の内部に位置している。
【００４４】
図１と図２に示すように、主ヨーク１１の第２の空間１６の前方穴部１６ｂの内部に、リング状の支持部材４９が固定されており、第２の振動体４５の裾部と支持部材４９との間に、前方ダンパー部材４８が設けられている。前方ダンパー部材４８は、合成樹脂シートや布シートや紙シートまたはこれらの複合材料で形成されており、中心線Ｏを中心とする円形の凹凸部が形成されている。
【００４５】
図１と図２に示すように、主ヨーク１１の内周ヨーク１１ｂの前部にはホーン部１８が一体に形成されている。ホーン部１８の前面は、前方に向かうにしたがってその開口径が徐々に広がるホーン面１８ａとなっている。この複合スピーカ１は、第２の振動体４５の周囲に第１の振動体４１やその支持機構を設ける必要がないので、ホーン面１８ａを、第１の磁石１３や第１のボイスコイル３１の前方に配置することができる。ホーン面１８ａを十分に広い面積で形成できるので、第２の振動体４５の振動で発生する高音域の音圧を前方へ向けて効率よく配置することができる。
【００４６】
図１に示す構造の複合スピーカ１の組み立て方法は以下の通りである。
主ヨーク１１を構成する外周ヨーク１１ａと内周ヨーク１１ｂを接合し、外周ヨーク１１ａと内周ヨーク１１ｂとの間に形成された第１の空間１２内に第１の磁石１３を固定して第１の磁界発生部１０を構成する。
【００４７】
図３に示すように、第１のボイスコイル３１と放射連結部材３２および円筒連結部材３３を組み立てた後に、第１の振動体４１の内周端４１ａを円筒連結部材３３の外周面に接合する。内側フレーム２と外側フレーム３とを連結し、円筒連結部材３３をダンパー部材３４を介して内側フレーム２に支持させ、第１の振動体４１の外周端４１ｂを外側ダンパー部材４３を介して外側フレーム３に支持させる。
【００４８】
そして、第１の磁界発生部１０のスリット１３ｃとスリット１５の内部に放射連結部材３２をＹ１方向へ向けて挿入し、第１のボイスコイル３１を第１の磁気ギャップＧ１内に位置させる。そして、内側フレーム２に主ヨーク１１の外周ヨーク１１ａを固定するとともに、第１の振動体４１と主ヨーク１１を、内側ダンパー部材４２を介して連結する。
【００４９】
一方、内側ヨーク２１に形成された前方凹部２２の内部に第２の磁石２３と対向ヨーク２４とがＹ１方向に順に重ねられて固定されて第２の磁界発生部２０が構成される。組み立てられた第２の磁界発生部２０が、内側ヨーク１１ｂに形成された第２の空間１６の後方穴部１６ａに、Ｙ２方向に向けて組み込まれて嵌着される。
【００５０】
また、ボビン４６および第２のボイスコイル４７が取り付けられた第２の振動体４５を、ダンパー部材４８を介して支持部材４９に支持させる。そして、リング状の支持部材４９を、内周ヨーク１１ｂの第２の空間１６の前方穴部１６ｂの内部にＹ２方向に向けて装着し、第２のボイスコイル４７を第２の磁気ギャップＧ２内に挿入する。
【００５１】
なお、図３に示すように、第２の磁界発生部２０を構成する内側ヨーク２１の前端面に支持部材４９を接着剤などで固定し、第２のボイスコイル４７を第２の磁気ギャップＧ２に挿入して、高音用で小型のスピーカユニットを予め組み立てておき、この小型のスピーカユニットを、内周ヨーク１１ｂに形成された第２の空間１６の内部に向けてＹ方向へ組み込んでもよい。
【００５２】
上記複合スピーカ１の組立作業は、第１の振動体４１を駆動する第１のボイスコイル３１が、第１の磁界発生部１０の第１の空間１２に対して後方からＹ１方向へ向けて組み込まれる。また、第２の磁界発生部２０、および第２の振動体４５を支持する支持部材４９が、第２の空間１６に対して前方からＹ２方向へ向けて組み込まれる。あるいは、第２の磁界発生部２０に支持部材４９が固定された小型のスピーカユニットが、第２の空間１６に対して前方からＹ２方向へ向けて組み込まれる。
【００５３】
第２の磁界発生部２０を１つのユニットして組み込むことができ、または第２の磁界発生部２０と第２の振動体４５とが組み合わされたスピーカユニットを組み込むことができるので、組立作業が容易である。
【００５４】
内側ヨーク２１と第２の磁石２３および対向ヨーク２４を有する第２の磁界発生部２０は、少なくとも一部が、リング状の第１の磁石１３の前端と後端との間に位置していることになり、磁界発生部の薄型化を実現できる。特に、図１と図２に示す複合スピーカ１では、第２の磁界発生部２０が、前後に貫通する第２の空間１６の内部に位置し、第２の磁界発生部２０の全体が第１の磁石１３の前端と後端との間に位置しているため、さらに薄型化を実現しやすくなっている。
【００５５】
図１に示すように、第１のボイスコイル３１を支持するボビンや連結部材さらには第１の振動体４１の内端部４１ａが、主ヨーク１１の前方に位置していないので、第２の振動体４５を支持する前方ダンパー部材４８や支持部材４９の形状や大きさを自由に設定できる。また、内周ヨーク１１ｂと一体に形成されているホーン面１８ａの面積および直径を十分に大きくでき、第２の振動体４５の振動で発せられる高音域の音圧を前方へ効果的に導くことができる。なお、ホーン部１８が、内周ヨーク１１ｂと別体に形成されて、主ヨーク１１に固定されてもよい。
【００５６】
図１に示す複合スピーカ１は、第１の振動体４１の内周端４１ａが主ヨーク１１の後端よりも前方に位置し、第１の振動体４１の外周端４１ｂが主ヨーク１１の前端よりも後方に位置している。そのため、中音域または低音域と高音域を発する複合スピーカを非常に薄型に構成することが可能になる。
【００５７】
図４に示す第２の実施の形態の複合スピーカ１０１は、図１に示したスピーカ１と同じ構造の第１の磁界発生部１０と第２の磁界発生部２０を有している。また、第２の振動体４５と支持部材４９と第２のボイスコイル４７なども、図１に示すスピーカ１と同じである。
【００５８】
第２の実施の形態の複合スピーカ１０１は、第１の振動体４１の内周端４１ａにボビン１３２が接合されている。ボビン１３２は、内周端４１ａから前方（Ｙ１方向）に向けて延びており、その前端部に第１のボイスコイル３１が取り付けられている。第１のボイスコイル３１とボビン１３２は、主ヨーク１１に形成された第１の磁気ギャップＧ１の内部に、Ｙ１方向に向けて挿入されている。
【００５９】
この複合スピーカ１０１も、円錐形状の第１の振動体４１の外周端４１ｂが、主ヨーク１１のＹ１側の端部よりも後方に位置している。そのため、前後の寸法を薄型にできる。
【００６０】
図１と図４に示す本発明の実施の形態のスピーカ１，１０１は、共に、主ヨーク１１の一部が、円錐形状の第１の振動体４１の外周端４１ｂを通る水平線Ｈ１よりも後方で且つ第１の振動体４１の内周端４１ａよりも前方の領域に位置している。すなわち、主ヨーク１１の少なくとも一部が、第１の振動体４１で囲まれた円錐形状の内側空間内に位置している。そのため、前後の寸法を薄型化しやすくなる。また、主ヨーク１１の全体が、第１の振動体４１の外周端４１ｂよりも後方で、内周端４１ａよりも前方に位置している構造にすると、さらに薄型化を実現しやすくなる。
【符号の説明】
【００６１】
１，１０１  複合スピーカ
２  内側フレーム
３  外側フレーム
１０  第１の磁界発生部
１１  主ヨーク
１１ａ  外周ヨーク
１１ｂ  内周ヨーク
１２  第１の空間
１３  第１の磁石
１３ｃ  スリット
１５  スリット
１６  第２の空間
１６ａ  後方穴部
１６ｂ  前方穴部
１８  ホーン部
１８ａ  ホーン面
２０  第２の磁界発生部
２１  内側ヨーク
２２  前方凹部
２３  第２の磁石
２４  対向ヨーク
３１  第１のボイスコイル
３２  放射連結部材
３３  円筒連結部材
３４  ダンパー部材
４１  第１の振動体
４１ａ  内周端
４１ｂ  外周端
４２  内側ダンパー部材
４３  外側ダンパー部材
４５  第２の振動体
４７  第２のボイスコイル
４９  支持部材
Ｇ１  第１の磁気ギャップ
Ｇ２  第２の磁気ギャップ
【図１】
2012124719.tif 000003
【図２】
2012124719.tif 000004
【図３】
2012124719.tif 000005
【図４】
2012124719.tif 000006